(57)【要約】【課題】地震の際に緊急避難場所として活用できる様に、通路や寝室の一部天井に補強を施し、テーブルや机には体を支えるための支持棒としての機能も持たせた、衝撃緩和装置付き地震用補強棒を提供する。【解決手段】衝撃緩和装置付き地震用補強棒は、テーブルや机の天板裏や、家屋の一部天井に設けた補強天板下に取り付けた垂下方向センターピン２ｆ付天板取り付け金具２ａと、クッション１ｃでカバーした金属パイプ支柱１ａの上端に設けられた金属プレート１ｂとの間に、復元性の高い加硫形成ゴム２ｂを挟み固定する事で、柔軟性と衝撃緩和によるビス抜け防止効果を持たせた構造である。天板取り付け金具２ａは、反り防止桟があった場合でも跨いで取り付け可能な深さのトラフ形状を成し、金属パイプ支柱１ａ下部の床接触部分には、防振効果と滑り止め効果のあるアジャスターボルト３が取り付けられている。【選択図】図１
2018042967.tif 000002
【特許請求の範囲】
【請求項１】
テーブルや机の天板垂下、または、天井補強用の天板垂下に重力方向に取り付け使用する支柱で、傾斜止めピン付天板取り付け金具と、金属パイプ支柱上部金属プレート間に加硫形成ゴムを取り付けた衝撃緩和装置を介し、金属パイプ支柱部分と、アジャスターボルト部分とで構成されることを特徴とする、衝撃緩和装置付き地震用補強棒。
【請求項２】
前記天板取り付け金具は、金属プレートをプレス加工することで、ビス止め用の穴のある平面部を両端に設け、反り防止桟の起伏がある場合に跨いで取り付けられる深さを成した、トラフ形状のものであることを特徴とする請求項１記載の衝撃緩和装置付き地震用補強棒。
【請求項３】
前記金属パイプ支柱の上端には角型金属プレートが設けられており、その中心部に、前記天板取り付け金具から伸びる傾斜止めピンが貫通できる穴を配したのを特徴とする、請求項１または２に記載の衝撃緩和装置付き地震用補強棒。
【請求項４】
前記金属パイプ支柱の外周全体が、支柱から身体へ伝わる衝撃を和らげるためのクッションでカバーされているのを特徴とする、請求項１及至３のいずれかに記載の衝撃緩和装置付き地震用補強棒。
【請求項５】
前記金属パイプ支柱の下端には、中心部内側にナットが付いたワッシャー形状のプレートが設けられてあり、前記アジャスターボルトを取り付けることで、高さ調整を可能としたのを特徴とする、請求項１及至４のいずれか記載の衝撃緩和装置付き地震用補強棒。
【発明の詳細な説明】
【技術分野】
【０００１】  本発明は、地震の際に落下物から身を守るために、一次避難場所となる屋内のテーブルや机の天板垂下、または通路や寝室ベッド上の天井部分と床との間に追加補強天板を挟んで取り付ける補強支柱としての、衝撃緩和装置付き地震用補強棒に関する。
【背景技術】
【０００２】  防災訓練では一次避難場所として、身近なテーブルや机等を奨励しているが、防災用ではないため強度が確保されておらずに、落下物で容易に損壊してしまう可能性がある。また横揺れでは、中心部で支持しないと身体が外に投げ出されて深刻な結果を招く可能性もある。その様な背景から、テーブルの中心部に脚を追加した防災テーブルや、簡易的に中心部に支柱を立て、補強を兼ねた支持棒とした製品が市販されている。また、一般的に家屋全体や一部屋のみを耐震補強するという方法が各方面で紹介されているが、露出で通路や部屋の一部だけを簡易補強するという方法は見当たらない。
【先行技術文献】
【特許文献】
【０００３】
【特許文献１】特開２００６−３１４３６２号公報
【特許文献２】特開２００６−２３９１２４号公報
【特許文献３】特開８−２２８８４４号公報
【発明の概要】
【発明が解決しようとする課題】
【０００４】  特許文献１，２，３に記載されている地震用テーブル、及び地震用つかまり棒等は、落下物からの身体保護と体を支える支持棒との役割を成していると解釈される。しかし地震には必ず横揺れが伴い、地震が強くなるほど、特に重量のあるテーブルでは支えることが困難となり、手から弾かれた支持棒は動く凶器と化す可能性があるという問題点があった。するとテーブルの下では、地震と共に暴れる金属の棒から襲われる状況となり、かえって危険に陥る。したがって落下物に加え、支持棒からの身体保護も考慮すべきである。【０００５】  前記とは別の観点から見ると、支持棒で体を支える動作とは、地震の動きに逆らって支持棒を手で揺さぶる行為でもある。支持棒と天板部とは直接ビス止めする方式が主であることから、テコの原理で釘を抜く状態と同じ力が作用すると考えられる。また、ビスも天板厚みを超えてねじ込む事はできないので短めのビスを多用するしかない。つまり、地震が強くなることでビス抜けによる支持棒の脱落が推測される。その事は一次避難場所としての役割に重大な影響を及ぼすと考えられるため、支持棒の取り付けには根本的な改善が必要であるという問題点があった。【０００６】  落下物からの衝撃対策には支柱を増やして補強とするのが一般的に行われているが、木テーブル等の下に直接硬い金属支柱を取り付けると衝撃が取り付け面に集中し、天板が破損してしまうと推測される。つまり、落下物からの衝撃を少しでも緩和させて天板を守る機能が必要であった。【０００７】  そこで上記課題に鑑みて、地震の際に掴まり易く、強く揺さぶってもビスが外れにくく、強い衝撃を受けても天板が破損しにくい、衝撃緩和装置付き地震用補強棒を提供することを目的とする。
【課題を解決するための手段】
【０００８】  テーブルや机の天板垂下、または天井補強用の天板垂下に重力方向に取り付け使用する支柱で、プレス加工によりトラフ形状と成すことで、反り防止桟を跨いで取り付けられる傾斜止めピン２ｆ付天板取り付け金具２ａと、金属パイプ支柱上部金属プレート１ｂとの間に、復元性が高くダンパー効果の期待できる加硫形成ゴム２ｂを取り付けた、衝撃緩和装置２を介し、身体保護用支柱クッション１ｃを外周に巻くことで人体へ掛かる負担を軽減した金属パイプ支柱１ａ部分と、高さ調整用アジャスターボルトセット３（３ａ〜３ｃを３とする）部分とで構成されることを特徴とした、衝撃緩和装置付き地震用補強棒を提供する。
【発明の効果】
【０００９】  衝撃緩和装置を支柱部分に取り付ける事で、上方及び横方向からの衝撃を緩和でき、身体及び天板への負担を軽減することができる。その際、横方向からの衝撃に対しては、傾斜止めピンで支柱部分が傾き過ぎないようにする。また、金属パイプ支柱を揺さぶっても、衝撃緩和装置がその力を緩和することで、取り付け部のビスを抜けにくくすることができる。金属パイプ支柱に装着した身体保護用支柱クッションは、支柱から身体へ伝わる衝撃を軽減する。
【図面の簡単な説明】
【００１０】
【図１】本発明の実施例を示す正面図
【図２】本発明の実施例を示す底面図
【図３】支柱正面図
【図４】支柱正面縦断面図
【図５】支柱側面図
【図６】支柱上面図
【図７】支柱底面図
【図８】衝撃緩和装置正面図
【図９】衝撃緩和装置側面図
【図１０】衝撃緩和装置分解図
【図１１】金属パイプ支柱上部プレート加硫形成ゴム取り付け位置図
【図１２】本案の天井取り付け実施例を示す立体図
【発明を実施するための形態】
【００１１】  以下、本発明に係る衝撃緩和装置付き地震用補強棒を、図面に基づいて詳述する。
【００１２】  本発明は図１〜図１２に示すように、支柱部分１（１ａ〜１ｄを１とする）の上に衝撃緩和装置２を取り付け、テーブルや机の下だけでなく、天井補強用品４（４ａ〜４ｄを４とする）を使用して家屋の一部も補強できる、アジャスターボルトセット３で調整可能な衝撃緩和装置付き地震用補強棒である。
【００１３】  天板取り付け金具２ａはプレス加工により跨げる形状を成す。図において天板取り付け部分に、各５個の天板取り付け用ビス穴２ｅを左右計１０個配すが、これに限定しない。加硫形成ゴム２ｂを金属パイプ支柱上部金属プレート１ｂの上に加硫形成ゴム取り付けボルトナット支柱側２ｄで止めて、天板取り付け金具２ａとの間に挟み、加硫形成ゴム取り付けボルトナット天板取り付け金具側２ｃで固定した構造であり、天板取り付け用ビス穴２ｅは全てを止めるに限らず、少なくとも左右対称に１対、可能であれば２対以上が好ましい。
【００１４】  金属パイプ支柱１ａの下端は、ねじ込んだボルト３ｂをナット３ｃで位置固定できる、高さ調整機能の付いた金属パイプ支柱側アジャスターボルト取り付け部１ｄであり、雌ネジで構成された金属部品が設けてある。
【００１５】  金属パイプ支柱１ａはスチール、ステンレス等の強度のある材料で構成された丸型パイプが好ましい。長さ、及びパイプ径は使用場所にもよるため限定されるものではない。クッション材１ｃは色、材質は特に限定しないが人体が直接触れる物でもあるため、人体に対して有害性がなく、抱きついていても金属パイプ支柱１ａから人体へ掛かる力を緩和できる適度な厚みが好ましい。
【００１６】  天板取り付け金具２ａはプレス加工でトラフ形状を成し、垂直方向からの衝撃が限界を超えたとき、破断せず変形する事で衝撃を緩和できる厚みである。また、加硫形成ゴム２ｂの弾力性で天板取り付け面への負担を低減させる事により、地震の際の横揺れで支柱部分１等が揺さぶられた場合でも、ビス穴２ｅのビスが抜けにくい構造になっている。
【００１７】  金属プレート１ｂは金属パイプ支柱１ａの上部に設けられているが、接続方法は強度が確保されていれば限定せず、そこに加硫形成ゴム２ｂを天板取り付け金具２ａとの間に挟み込む形でボルト止めしてある。上部金属プレート１ｂも、垂直方向からの衝撃が限界を超えても破断せず変形する厚みを成し、強度のバランスをとるために、板厚はプレス加工品２ａよりも平板１ｂが厚い。
【００１８】  天板取り付け金具２ａの中心垂下に取り付けた傾斜止めピン２ｆは、金属パイプ支柱上部金属プレート１ｂの中心に開けた穴に、接触しない形で挿入されている金属棒である。ピン２ｆは加硫形成ゴム２ｂが横方向から大きく変形するような力を加えられた際に、一定以上の傾斜角を超えにくいように止める部品であり、ゴム２ｂの衝撃緩和性を損なうことなく、剛柔合わせて衝撃を受け止める構造である。
【００１９】  アジャスターボルトセット３は、底面ゴム部３ａ及びボルト部３ｂ、支柱へ固定するためのナット３ｃで構成されている。アジャスターボルトセット３は、金属パイプ支柱１ａが地震の際の横揺れで傾斜しても、折れずに持ち堪える程度の、太さと耐久性とを備えていれば任意のものでよい。
【００２０】  図１２に表すように、家屋の一部に天井補強天板４ａで避難区域を確保する場合は、金属パイプ支柱１ａを４本以上使用するため、支柱間に市販金属パイプ４ｂを市販金属パイプ用プブラケット４ｃで留めて追加補強とする。尚、追加補強用金属パイプ４ｂは、強度が確保されていれば太さと本数及び取り付け位置は限定されないが、形状は丸パイプが好ましい。また、天井補強取り付け等で使用の際は、アジャスターボルトセット３の下に敷板４ｄを置いて、支柱間を連結固定してもよい。
【００２１】  本発明は、加硫形成ゴム２ｂ及びアジャスターボルトセット３の底面ゴム３ａによるクッション性と、金属パイプ支柱上部金属プレート１ｂ及び天板取り付け金具２ａを変形させることとで衝撃を受け止め、身体保護用支柱クッション付きの金属パイプ支柱で、テーブル・机を支える構造であり、落下物からの衝撃を緩和させて天板の損壊を抑えることができる。また、横揺れによるビス抜けで本体が脱落するのを極力防ぐことができる。
【符号の説明】
【００２２】  １支柱部分
１ａ金属パイプ支柱
１ｂ金属パイプ支柱上部金属プレート
１ｃ身体保護用支柱クッション
１ｄ金属パイプ支柱側アジャスターボルト取り付け部
２衝撃緩和装置
２ａ天板取り付け金具
２ｂ加硫形成ゴム
２ｃ加硫形成ゴム取り付けボルト天板取り付け金具側
２ｄ加硫形成ゴム取り付けボルトナット支柱側
２ｅ天板取り付け用ビス穴
２ｆ傾斜止めピン
３アジャスターボルトセット
３ａアジャスターボルト底面ゴム部
３ｂアジャスターボルト
３ｃアジャスターボルト支柱固定ナット
４天井補強用品
４ａ天井補強天板
４ｂ補強用金属パイプ
４ｃ補強用金属パイプブラケット
４ｄ敷板
【図１】
2018042967.tif 000003
【図２】
2018042967.tif 000004
【図３】
2018042967.tif 000005
【図４】
2018042967.tif 000006
【図５】
2018042967.tif 000007
【図６】
2018042967.tif 000008
【図７】
2018042967.tif 000009
【図８】
2018042967.tif 000010
【図９】
2018042967.tif 000011
【図１０】
2018042967.tif 000012
【図１１】
2018042967.tif 000013
【図１２】
2018042967.tif 000014